(57)【要約】【課題】ウェブサイト上で文字列を用いて検索を行う場合に、簡単な操作で検索を行うことができる情報検索システムを提供する。【解決手段】情報検索システムにおいて、ユーザ側のクライアントＰＣ２０からウェブサーバ３０上のウェブページにアクセスする際、ユーザ側のクライアントＰＣ２０は、ウェブサーバ３０から、情報検索手段をロードし、ユーザ側のクライアントＰＣ２０の操作者によるウェブページ３０上の文字列の選択操作に基づいて、情報検索手段を起動し、情報検索手段により、選択された文字列による情報検索の検索サイト選択の制御ウィンドウを表示する。【選択図】図１
2009230472.tif 000002
【特許請求の範囲】
【請求項１】
ウェブページ上の文字列により情報の検索を行う情報検索方法であって、
情報処理装置からウェブサーバ上の前記ウェブページにアクセスする際、前記ウェブサーバから、情報検索手段をロードし、
前記情報処理装置の操作者による前記ウェブページ上の文字列の選択操作に基づいて、前記情報検索手段を起動し、
前記情報検索手段により、前記選択された文字列による情報検索の検索サイト選択の制御ウィンドウを表示することを特徴とする情報検索方法。
【請求項２】
ウェブページ上の文字列により情報の検索を行う情報検索方法であって、
情報処理装置上に予め情報検索手段を格納し、
情報処理装置からウェブサーバ上の前記ウェブページにアクセスする際、前記情報検索手段をロードし、
前記情報処理装置の操作者による前記ウェブページ上の文字列の選択操作に基づいて、前記情報検索手段を起動し、
前記情報検索手段により、前記選択された文字列による情報検索に使用する検索サイト選択の制御ウィンドウを表示することを特徴とする情報検索方法。
【請求項３】
請求項１または２記載の情報検索方法において、
前記情報検索手段により、前記情報処理装置の操作者による前記制御ウィンドウ上の検索サイトの選択操作に基づいて、前記選択された検索サイトのウェブサーバに、前記選択された文字列の情報を送信し、前記検索サイトのウェブサーバからの検索結果に基づいて、別ウィンドウで検索結果を表示することを特徴とする情報検索方法。
【請求項４】
情報処理装置からウェブサーバにアクセスし、前記情報処理装置に表示されたウェブページ上の文字列により情報の検索を行う情報検索システムであって、
前記情報処理装置から前記ウェブサーバ上の前記ウェブページにアクセスする際、
前記情報処理装置は、前記ウェブサーバから、情報検索手段をロードし、前記情報処理装置の操作者による前記ウェブページ上の文字列の選択操作に基づいて、前記情報検索手段を起動させ、起動した前記情報検索手段により、前記選択された文字列による情報検索の検索サイト選択の制御ウィンドウを表示することを特徴とする情報検索システム。
【請求項５】
情報処理装置からウェブサーバにアクセスし、前記情報処理装置に表示されたウェブページ上の文字列により情報の検索を行う情報検索システムであって、
前記情報処理装置は、予め情報検索手段を格納し、
前記情報処理装置から前記ウェブサーバ上の前記ウェブページにアクセスする際、
前記情報処理装置は、前記情報検索手段をロードし、前記情報処理装置の操作者による前記ウェブページ上の文字列の選択操作に基づいて、前記情報検索手段を起動させ、起動した前記情報検索手段により、前記選択された文字列による情報検索の検索サイト選択の制御ウィンドウを表示することを特徴とする情報検索システム。
【請求項６】
請求項４または５記載の情報検索システムにおいて、
前記情報処理装置は、前記情報検索手段により、前記情報処理装置の操作者による前記制御ウィンドウ上の検索サイトの選択操作に基づいて、前記選択された検索サイトのウェブサーバに、前記選択された文字列の情報を送信し、前記検索サイトのウェブサーバからの検索結果に基づいて、別ウィンドウで検索結果を表示することを特徴とする情報検索システム。
【発明の詳細な説明】
【技術分野】
【０００１】
本発明は、情報検索方法および情報検索システムに関し、特に、ウェブページ内において検索キーワードとなる文字列を選択して検索を行う技術に関する。
【背景技術】
【０００２】
従来、情報検索の方法として、ウェブブラウザなどで、表示されている文字列をキーワードとして検索する際には、文字列を選択してコピーし、検索用のツールバーに文字列を貼り付けてから検索するか、文字列を選択した状態で右クリックにより、汎用的なメニューを表示させ、その中から検索の項目を選択して検索していた。
【発明の開示】
【発明が解決しようとする課題】
【０００３】
しかしながら、従来の情報検索では、文字列をコピーして検索用のツールバーに貼り付けて検索したり、右クリックにより、汎用的なメニューを表示させ、そのメニューの中から検索の項目を選択しているので、ウェブサイト上の文字列をキーワードとして、頻繁に検索する場合などでは、操作が煩雑になるという問題点があった。
【０００４】
そこで、本発明の目的は、ウェブサイト上で文字列をキーワードとして検索を行う場合に、簡単な操作で検索を行うことができる情報検索方法および情報検索システムを提供することにある。
【０００５】
本発明の前記ならびにその他の目的と新規な特徴は、本明細書の記述および添付図面から明らかになるであろう。
【課題を解決するための手段】
【０００６】
本願において開示される発明のうち、代表的なものの概要を簡単に説明すれば、次のとおりである。
【０００７】
すなわち、代表的なものの概要は、情報処理装置からウェブサーバ上のウェブページにアクセスする際、ウェブサーバから、情報検索手段をロードし、情報処理装置の操作者によるウェブページ上の文字列の選択操作に基づいて、情報検索手段を起動し、情報検索手段により、選択された文字列による情報検索の検索サイト選択の制御ウィンドウを表示するものである。
【発明の効果】
【０００８】
本願において開示される発明のうち、代表的なものによって得られる効果を簡単に説明すれば以下のとおりである。
【０００９】
すなわち、代表的なものによって得られる効果は、ウェブサイト上の文字列をキーワードとして検索を行う場合に、簡単な操作で検索を行うことができる。
【発明を実施するための最良の形態】
【００１０】
以下、本発明の実施の形態を図面に基づいて詳細に説明する。なお、実施の形態を説明するための全図において、同一の部材には原則として同一の符号を付し、その繰り返しの説明は省略する。
【００１１】
図１により、本発明の一実施の形態に係る情報検索システムの全体構成について説明する。図１は本発明の一実施の形態に係る情報検索システムの全体構成を示す構成図である。
【００１２】
図１において、情報検索システムは、運営者（管理者）側のクライアントＰＣ１０、情報処理装置であるユーザ側のクライアントＰＣ２０が、インターネットなどを介してウェブサーバ３０に接続されている。ウェブサーバ３０には、データベース３１が接続され、検索サイト設定データとして、ユーザカスタマイズ設定や運営者側からの設定などが格納されている。
【００１３】
また、ウェブサーバ３０には、ユーザ側のクライアントＰＣ２０からのウェブページへのアクセスに対して、情報検索手段となるＪａｖａｓｃｒｉｐｔおよびＣＳＳをロードさせることにより、検索サイトの選択をするための制御ウィンドウを表示させる機能を提供している。
【００１４】
また、運営者（管理者）側のクライアントＰＣ１０は、ウェブサーバ３０にアクセスし、ウェブブラウザなどにより、管理用ページでの作業や、検索サイトの設定などを行う。
【００１５】
また、ユーザ側のクライアントＰＣ２０は、ウェブブラウザやアプリケーションウェブブラウザでウェブサーバ３０にアクセスし、ユーザカスタマイズの設定や、検索サイトの登録設定を行い、ウェブサーバ３０からのＨＴＭＬ、Ｊａｖａｓｃｒｉｐｔ、ＣＳＳなどの情報により、ウェブページの表示などを行う。
【００１６】
また、ウェブページ内のテキスト選択や、制御ウィンドウとして表示される操作ウィンドウの操作により、検索先サイトのウェブサーバ４０に検索リクエストを送信して、検索サイトのウェブサーバ４０からの検索結果を表示する。
【００１７】
次に、図２および図３により、本発明の一実施の形態に係る情報検索システムの情報検索処理動作の一例について説明する。図２は本発明の一実施の形態に係る情報検索システムの情報検索処理動作の一例を示すフローチャート、図３は本発明の一実施の形態に係る情報検索システムの情報検索処理動作中の画面例である。
【００１８】
まず、ユーザ側のクライアントＰＣ２０からウェブブラウザでウェブサーバ３０上のウェブページへアクセスし（Ｓ１００）、ウェブページのＨＴＭＬと、情報検索機能を提供するＪａｖａｓｃｒｉｐｔおよびＣＳＳをロードする（Ｓ１０１）。
【００１９】
このロードされたＪａｖａｓｃｒｉｐｔおよびＣＳＳにより、以下の処理が行われる。
【００２０】
Ｓ１０１でのＨＴＭＬのロードにより、ウェブブラウザ上では、例えば図３（ａ）に示すような画面が表示されており、ユーザ側のクライアントＰＣ２０の操作者により、図３（ｂ）に示すように、マウス等で文字列が選択され、選択された文字列が確定する（Ｓ１０２）。この文字列選択の操作は、例えば、マウスのクリックをした状態で選択範囲を設定し、マウスのクリック状態を解除することにより選択範囲が確定する。
【００２１】
そして、選択範囲が確定した後、ＪａｖａｓｃｒｉｐｔおよびＣＳＳなどによる情報検索手段が起動し、図３（ｃ）に示すように、確定した文字列による検索を行う操作ウィンドウとなる制御ウィンドウを生成し（Ｓ１０３）、その制御ウィンドウを表示する（Ｓ１０４）。
【００２２】
そして、図３（ｄ）に示すような制御ウィンドウ上で、ユーザ側のクライアントＰＣ２０の操作者により検索サイトが選択されると（Ｓ１０５）、選択された検索サイトのウェブサーバ４０に、Ｓ１０２で選択された文字列を検索キーワードとして送信する（Ｓ１０６）。これは、例えば、ＵＲＬにＧＥＴ方式で検索キーワードを埋め込み送信する。
【００２３】
そして、検索先サイトのウェブサーバ４０からの検索結果により、別ウィンドウとして図３（ｅ）に示すような検索結果画面を表示する（Ｓ１０７）。
【００２４】
以上の処理により、ユーザ側のクライアントＰＣ２０の操作者は、ウェブページ上の文字列を、マウスなどで選択するだけで、文字列をキーワードとした検索に関連する制御ウィンドウが表示され、その制御ウィンドウ上での検索サイトの選択により、すぐにその文字列をキーワードとした検索結果が別ウィンドウとして表示されるため、簡単な操作で検索作業を行うことが可能である。
【００２５】
特に、検索を頻繁に行うようなウェブページなどでの検索作業においては、効率よく検索を行うことが可能となる。
【００２６】
また、検索サイトを１つに決めて、ユーザカスタマイズにより、検索サイトの選択をしないように設定していれば、制御ウィンドウにおいて、検索サイトの選択をすることなく、文字列を選択するだけで、その文字列による検索結果を別ウィンドウで表示するようにすることも可能である。
【００２７】
また、図２に示す例では、特定のウェブページにアクセスした際に、そのＨＴＭＬの情報と共にロードされるＪａｖａｓｃｒｉｐｔおよびＣＳＳにより、文字列による検索を行っているため、特定のウェブページのみで、この情報検索機能を提供することができ、検索の必要のないウェブページでは、この情報検索機能を提供しないなど、情報検索についての柔軟な対応を行うことが可能である。
【００２８】
ユーザ側のクライアントＰＣ２０の操作者がログイン操作をすることにより、ユーザごとの設定を反映させることも可能であり、ユーザごとに異なった検索サイトの提供なども可能となる。
【００２９】
次に、図４により、本発明の一実施の形態に係る情報検索システムの情報検索処理動作の他の例について説明する。図４は本発明の一実施の形態に係る情報検索システムの情報検索処理動作の他の例を示すフローチャートである。
【００３０】
図２に示した例では、ウェブページにアクセスした際に、そのＨＴＭＬの情報と共にロードされるＪａｖａｓｃｒｉｐｔおよびＣＳＳにより、情報検索機能を提供しているが、図４に示した例では、ウェブブラウザや、ウェブアクセス機能を有するアプリケーションなどへのアドインとして、情報検索処理を行うプログラムを実装することにより、情報検索機能を提供している。
【００３１】
まず、ユーザ側のクライアントＰＣ２０でウェブブラウザや、ウェブアクセス機能を有するアプリケーションを起動し（Ｓ２００）、予めダウンロードされているアドインプログラムを読み込む（Ｓ２０１）。
【００３２】
そして、ウェブブラウザや、ウェブアクセス機能を有するアプリケーションでウェブサーバ３０上のウェブページへアクセスし（Ｓ２０２）、ウェブページのＨＴＭＬなどをロードする（Ｓ２０３）。
【００３３】
Ｓ２０１で読み込まれたアドインプログラムにより、以下の処理が行われる。
【００３４】
Ｓ２０３でのＨＴＭＬのロードにより、ウェブブラウザや、ウェブアクセス機能を有するアプリケーション上では、例えば図３（ａ）に示すような画面が表示されており、ユーザ側のクライアントＰＣ２０の操作者により、図３（ｂ）に示すように、マウス等で文字列が選択され、選択された文字列が確定する（Ｓ２０４）。この文字列選択の操作は、例えば、マウスのクリックをした状態で選択範囲を設定し、マウスのクリック状態を解除することにより選択範囲が確定する。
【００３５】
そして、選択範囲が確定した後、アドインプログラムが起動し、図３（ｃ）に示すように、確定した文字列による検索を行う操作ウィンドウとなる制御ウィンドウを生成し（Ｓ２０５）、その制御ウィンドウを表示する（Ｓ２０６）。
【００３６】
そして、図３（ｄ）に示すような制御ウィンドウ上で、ユーザ側のクライアントＰＣ２０の操作者により検索サイトが選択されると（Ｓ２０７）、選択された検索先サイトのウェブサーバ４０に、Ｓ１０２で選択された文字列を検索キーワードとして送信する（Ｓ２０８）。これは、例えば、ＵＲＬにＧＥＴ方式で検索キーワードを埋め込み送信する。
【００３７】
そして、検索先サイトのウェブサーバ４０からの検索結果により、別ウィンドウとして図３（ｅ）に示すような検索結果画面を表示する（Ｓ２０９）。
【００３８】
以上の処理により、ユーザ側のクライアントＰＣ２０の操作者は、ウェブページ上の文字列を、選択するだけで、文字列の検索に関連する制御ウィンドウが表示され、その制御ウィンドウ上での検索サイトの選択により、すぐにその文字列の検索結果が別ウィンドウとして表示されるため、簡単な操作で検索作業を行うことが可能である。
【００３９】
また、図４に示す例では、アプリケーションのアドインプログラムとして、読み込まれるため、特定のウェブページだけではなく、ユーザ側のクライアントＰＣ２０の操作者の指示により、必要なウェブページにおいても、文字列による情報検索を行うことが可能である。
【００４０】
次に、図５〜図８により、本発明の一実施の形態に係る情報検索システムの情報検索処理動作時の具体的な表示例について説明する。図５〜図８は本発明の一実施の形態に係る情報検索システムの情報検索処理動作時の具体的な表示例を示す図である。
【００４１】
例えば、テレビ番組に関する情報を提供するウェブサイトのウェブページにおいて、本実施の形態での文字列をキーワードにした情報検索処理を行う場合、図５に示すようなテレビ番組のランキングの表示に対して、あるニュースの内容内の文字列が選択される。例えば図６に示す例では「共同パトロール」が選択されている。
【００４２】
すると、図７に示すようなダイレクトサーチと表示された制御ウィンドウが表示され、「共同パトロール」という文字列をキーワードとして検索する検索サイトが表示される。
【００４３】
図７に示す例では、検索サイトの選択だけではなく、選択された文字列により、テレビ番組に関する情報を提供するウェブサイト内の情報を検索するための選択肢も表示されている。
【００４４】
そして、制御ウィンドウ上で、ある検索サイトが選択されると、図８に示すように、ある検索サイトでの「共同パトロール」の検索結果が別ウィンドウとして表示され、「共同パトロール」の検索結果を得ることができる。
【００４５】
その後、検索結果の画面上で、「共同パトロール」に関するリンクをクリックすることにより、検索結果の詳細を表示することができる。
【００４６】
このように、ある情報を提供するようなウェブサイトのウェブページにおいて、その中の文字列により、更に検索を行う機会が多いウェブページでは、文字列を選択するだけで、検索サイトのリストが制御ウィンドウとして表示され、簡単に文字列による情報検索を行うことが可能である。
【００４７】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００４８】
本発明は、情報検索方法および情報検索システムに関し、ウェブページ内において検索キーワードとなる文字列を選択して検索を行うシステムに広く適用可能である。
【図面の簡単な説明】
【００４９】
【図１】本発明の一実施の形態に係る情報検索システムの全体構成を示す構成図である。
【図２】本発明の一実施の形態に係る情報検索システムの情報検索処理動作の一例を示すフローチャートである。
【図３】本発明の一実施の形態に係る情報検索システムの情報検索処理動作中の画面例である。
【図４】本発明の一実施の形態に係る情報検索システムの情報検索処理動作の他の例を示すフローチャートである。
【図５】本発明の一実施の形態に係る情報検索システムの情報検索処理動作時の具体的な表示例を示す図である。
【図６】本発明の一実施の形態に係る情報検索システムの情報検索処理動作時の具体的な表示例を示す図である。
【図７】本発明の一実施の形態に係る情報検索システムの情報検索処理動作時の具体的な表示例を示す図である。
【図８】本発明の一実施の形態に係る情報検索システムの情報検索処理動作時の具体的な表示例を示す図である。
【符号の説明】
【００５０】
１０…運営者（管理者）側のクライアントＰＣ、２０…ユーザ側のクライアントＰＣ、３０…ウェブサーバ、３１…データベース、４０…検索サイトのウェブサーバ。
【図１】
2009230472.tif 000003
【図２】
2009230472.tif 000004
【図３】
2009230472.tif 000005
【図４】
2009230472.tif 000006
【図５】
2009230472.tif 000007
【図６】
2009230472.tif 000008
【図７】
2009230472.tif 000009
【図８】
2009230472.tif 000010